(57)【要約】【課題】多様化したシート処理装置での消費電力を抑えることが可能なシート処理装置及びそれを用いる画像形成装置を提供する。【解決手段】スタッカーユニット５、サドルユニット６、製本ユニット７、シート束裁断ユニット８のそれぞれに、電力の供給と遮断とを制御する電力供給制御部１２，１３，１５，１６を設け、これらを、設定部９にて設定した加工処理をおこなう際に各ユニットごとで制御させることにより、必要なユニットにのみ電力を供給し、不要な電力消費を防止することができる。【選択図】      図１
2006076218.tif 000002
【特許請求の範囲】
【請求項１】
画像形成されたシートの複数の加工処理を、該加工処理ごとに分割された各ユニットにて施すシート処理装置において、
前記各ユニットごとの電力の供給と遮断とを制御する電力供給制御手段と
前記シートに対して施す前記加工処理の設定をおこなう設定手段と、を備え、
前記電力供給制御手段は、前記設定手段によって設定された前記加工処理に応じたユニットに対して電力を供給することを特徴とする、
シート処理装置。
【請求項２】
前記電力供給制御手段は、前記設定手段によって設定された前記加工処理が終了した際に、該加工処理を施すユニットの電力を遮断することを特徴とする、
請求項１に記載のシート処理装置。
【請求項３】
前記設定手段は、前記加工処理ごとに分割された全てのユニットへの電力の遮断の制御を一括して設定する節電モード設定手段を有し、
前記節電モード設定手段の設定に応じて、前記全てのユニットが備える前記電力供給制御手段に対して電力の遮断を制御させることを特徴とする、
請求項１又は２に記載のシート処理装置。
【請求項４】
所定の時間を計数する計数手段を備え、
該計数手段によって該所定の時間が計数された際に、前記節電モード設定手段に対し、全てのユニットが備える前記電力供給制御手段に対する電力の遮断の制御を開始させることを特徴とする、
請求項３に記載のシート処理装置。
【請求項５】
前記電力供給制御手段によって電力の供給と遮断とを制御させる際の、該制御前の各ユニットの状態設定を記憶する記憶手段を備え、
前記電力供給制御手段によってユニットへの電力の供給がおこなわれる際に、前記記憶手段によって設定状態が記憶されているユニットに対して初期化をおこなわないようにさせることを特徴とする、
請求項１乃至４のいずれかに記載のシート処理装置。
【請求項６】
前記各ユニットごとに状態設定を比較する比較手段を備え、
該比較手段により、前記電力供給制御手段によって電力の供給がおこなわれる際の各ユニットの状態設定と、前記記憶手段によって記憶されている該ユニットの状態設定との比較結果が一致した際に、該ユニットに対する初期化をおこなわないようにさせることを特徴とする、
請求項５に記載のシート処理装置。
【請求項７】
シートに画像形成する画像形成部を有する画像形成部本体と、
該画像形成部本体からの画像形成されたシートに複数の加工処理を施す請求項１乃至６のいずれかに記載のシート処理装置と、を備え、
前記画像形成部本体が、前記シート処理装置が有する設定手段に設定を入力する入力手段を有することを特徴とする、
画像形成装置。
【請求項８】
シートに画像形成する画像形成部と、
前記画像形成部によって画像形成される前記シートに加工処理をおこなう際に、該加工処理ごとに分割された各ユニットごとの電力の供給と遮断とを制御する電力供給制御手段と、
前記シートに対して施す前記加工処理の設定をおこなう設定手段と、を備え、
前記電力供給制御手段は、前記設定手段によって設定された前記加工処理に応じたユニットに対して電力を供給することを特徴とする、
画像形成装置。
【発明の詳細な説明】
【技術分野】
【０００１】
本発明は、画像形成装置及びその周辺装置に係り、特に、画像形成装置にて画像形成した後のシートに各種の加工を施すシート処理装置に関する。
【背景技術】
【０００２】
従来、複写機やプリンタ等の画像形成装置において、一定時間以上の出力処理がされない場合には、節電モードによって定着部への電力供給を遮断したり、定着部のヒータ温度を下げたりすることで節電するものがある。また、入力装置として用いられるタッチパネルディスプレイ等には、キー入力が所定時間無い場合に、電力の供給を遮断することで液晶画面を非表示にする省電力機能を備えるものがある。
【０００３】
ついで、ネットワークを介して複数の画像複写装置が接続される画像形成システムにあっては、個々の画像複写装置の動作状態に応じて変動する定着部の消費電力データを、複数の画像複写装置間で相互に送受信し合い、画像形成システム全体で消費される消費電力が所定値以内に抑えられるように制御して節電するものが提案されている（特許文献１参照）。
【０００４】
【特許文献１】特開平７−７２７６８号公報
【発明の開示】
【発明が解決しようとする課題】
【０００５】
しかしながら、上述したような従来の画像形成システムは、ネットワークを介して接続される複数の画像複写装置の全体の消費電力を抑えるものであるので、画像複写装置単体での消費電力を抑制し、節電させるものではない。また、この画像形成システムは、画像複写装置内の定着部を対象として温度制御するものであり、画像複写装置や画像形成装置等に付設される給排紙装置やシート処理装置等の定着部以外の部位は対象とされていない。
【０００６】
さらには、近年における画像複写装置や画像形成装置等に付設されるシート処理装置の多様化はめざましく、それに応じて消費電力量が増加するため、その節電が望まれている。
【０００７】
そこで本発明は、多様化したシート処理装置での消費電力の増加を防止し、シート処理装置単体で節電をおこなうことが可能なシート処理装置及びそれを用いる画像形成装置を提供することを目的とするものである。
【課題を解決するための手段】
【０００８】
本発明のシート処理装置は、画像形成されたシートの複数の加工処理を、該加工処理ごとに分割された各ユニットにて施すシート処理装置において、前記各ユニットごとの電力の供給と遮断とを制御する電力供給制御手段と前記シートに対して施す前記加工処理の設定をおこなう設定手段と、を備え、前記電力供給制御手段は、前記設定手段によって設定された前記加工処理に応じたユニットに対して電力を供給することを特徴とするものである。
【０００９】
好ましくは、前記電力供給制御手段は、前記設定手段によって設定された前記加工処理が終了した際に、該加工処理を施すユニットの電力を遮断することを特徴とするものである。
【００１０】
好ましくは、前記設定手段は、前記加工処理ごとに分割された全てのユニットへの電力の遮断の制御を一括して設定する節電モード設定手段を有し、前記節電モード設定手段の設定に応じて、前記全てのユニットが備える前記電力供給制御手段に対して電力の遮断を制御させることを特徴とするものである。
【００１１】
好ましくは、所定の時間を計数する計数手段を備え、該計数手段によって該所定の時間が計数された際に、前記節電モード設定手段に対し、全てのユニットが備える前記電力供給制御手段に対する電力の遮断の制御を開始させることを特徴とするものである。
【００１２】
好ましくは、前記電力供給制御手段によって電力の供給と遮断とを制御させる際の、該制御前の各ユニットの状態設定を記憶する記憶手段を備え、前記電力供給制御手段によってユニットへの電力の供給がおこなわれる際に、前記記憶手段によって設定状態が記憶されているユニットに対して初期化をおこなわないようにさせることを特徴とするものである。
【００１３】
好ましくは、前記各ユニットごとに状態設定を比較する比較手段を備え、該比較手段により、前記電力供給制御手段によって電力の供給がおこなわれる際の各ユニットの状態設定と、前記記憶手段によって記憶されている該ユニットの状態設定との比較結果が一致した際に、該ユニットに対する初期化をおこなわないようにさせることを特徴とするものである。
【００１４】
本発明の画像形成装置は、シートに画像形成する画像形成部を有する画像形成部本体と、該画像形成部本体からの画像形成されたシートに複数の加工処理を施す上記のいずれかに記載のシート処理装置と、を備え、前記画像形成部本体が、前記シート処理装置が有する設定手段に設定を入力する入力手段を有することを特徴とするものである。
【００１５】
本発明の画像形成装置は、シートに画像形成する画像形成部と、前記画像形成部によって画像形成される前記シートに加工処理をおこなう際に、該加工処理ごとに分割された各ユニットごとの電力の供給と遮断とを制御する電力供給制御手段と、前記シートに対して施す前記加工処理の設定をおこなう設定手段と、を備え、前記電力供給制御手段は、前記設定手段によって設定された前記加工処理に応じたユニットに対して電力を供給することを特徴とするものである。
【発明の効果】
【００１６】
請求項１に係る本発明は、加工処理ごとに分割された各ユニットに設けられる電力供給制御手段は、設定手段によって設定された加工処理に応じ、各ユニットに対する電力の供給と遮断とを制御するので、加工処理をおこなう多様なユニットのなかから必要なユニットにのみ電力を供給して消費電力の増加を防止し、シート処理装置単体での節電をおこなうことができる。
【００１７】
請求項２に係る本発明によると、電力供給制御手段は、設定手段によって設定された加工処理が終了した際に、その加工処理を施すユニットの電力を遮断するので、不要なユニットに供給される消費電力の増加を防止することができる。
【００１８】
請求項３に係る本発明によると、節電モード設定手段は、その設定に応じて全てのユニットが備える電力供給制御手段に対して電力の遮断を制御させるので、シート処理装置の未使用時の電力消費を抑えることができる。
【００１９】
請求項４に係る本発明によると、所定の時間を計数する計数手段を備え、この計数手段によって所定の時間が計数された際に、節電モード設定手段による全てのユニットが備える前記電力供給制御手段に対する電力の遮断の制御を開始させるので、シート処理装置の未使用時の電力消費を抑えることができる。
【００２０】
請求項５に係る本発明によると、電力供給制御手段によって電力の供給と遮断とを制御する際の、制御前の各ユニットごとの状態設定を記憶する記憶手段を備え、電力供給制御手段によってユニットへの電力の供給がおこなわれる際に、記憶手段によって設定状態が記憶されているユニットに対して初期化をおこなわないようにするので、不要なユニットの初期化を防止でき、初期化に要する時間と電力が無駄に消費されることを防止することができるようになる。
【００２１】
請求項６に係る本発明によると、ユニットごとの状態設定を比較する比較手段を備え、電力供給制御手段によって電力の供給がおこなわれる際のユニットの状態設定と、記憶手段によって記憶されている該ユニットの状態設定とを、比較手段により比較一致した際に、そのユニットに対する初期化をおこなわないようにするので、不要なユニットの初期化を防止でき、初期化に要する時間と電力が無駄に消費されることを防止することができるようになる。
【００２２】
請求項７に係る本発明によると、シートに画像形成する画像形成部を有する画像形成部本体と、この画像形成部本体からの画像形成されたシートに複数の加工処理を施す請求項１乃至６のいずれかに記載のシート処理装置とを備え、画像形成部本体が、シート処理装置が有する設定手段に設定を入力するための入力手段を有するので、画像形成装置からシート処理装置への設定入力を容易にすることができるようになる。
【００２３】
請求項８に係る本発明によると、シートに画像形成する画像形成部を有する画像形成部本体と、この画像形成部本体からの画像形成されたシートに複数の加工処理を施す請求項１乃至６のいずれかに記載のシート処理装置と、からなる画像形成装置において、加工処理ごとに分割された各ユニットに設けられる電力供給制御手段は、設定手段によって設定された加工処理に応じ、各ユニットに対する電力の供給と遮断とを制御するので、ユニットごとの消費電力の増加を防止し、シート処理装置単体での節電をおこなうことができる。
【発明を実施するための最良の形態】
【００２４】
＜第１の実施の形態＞
以下、本発明の第１の実施の形態にかかるシート処理装置を、図１乃至図３に沿って説明する。図１は第１の実施の形態にかかるシート処理装置と画像形成部本体とからなる構成図、図２は第１の実施の形態にかかるシート処理装置と画像形成部本体との機能を示すブロック図、図３は第１の実施の形態にかかるシート処理装置の節電モード時の動作を示すフローチャートである。
【００２５】
画像形成装置１は、シートに画像形成する画像形成部本体３と、この画像形成したシートを搬送して加工処理を施すシート処理装置２とからなる。
【００２６】
画像形成部本体３は、イメージスキャナ等で読み取った画像データを、給紙装置から搬送されてくるシート（例えば、コピー紙等の普通紙をはじめとした光沢紙やＯＨＰ等）に対して画像形成部１９によって画像形成をおこない、シート処理装置２に搬送する。なお、画像形成部本体３には、例えば複写機、ファクシミリ、プリンタ及びこれらの複合機等があり、画像形成部１９には光学方式、静電方式、インパクト方式、レーザビーム方式、インクジェット方式及びサーマル方式等がある。
【００２７】
シート処理装置２は、画像形成部本体３から搬送されるシートに対して、後述する各ユニットによって仕分け（ソート）や束綴じ（ステイプル）等の処理をおこなってシートの排出をおこなう。なお、シート処理装置２は、画像形成装置１の画像形成部本体３内に組み込まれていてもよく、或いは、単体で使用されることも考えられる。
【００２８】
スタッカーユニット５は、画像形成部本体３より搬送されるシートの仕分け等をおこなうユニットのひとつであり、サドルユニット６は、画像形成部本体３より搬送されるシートを束綴じする。製本ユニット７は、シート束にした後で半折りして簡易製本をおこなうユニットであり、シート束裁断ユニット８は、サドルユニット６や製本ユニット７にて加工処理されたシート束に対し、綴じられた側の辺以外の３辺もしくは１辺を裁断（トリミング）するユニットである。
【００２９】
つぎに、シート処理装置２及び画像形成部本体３の機能的構成について説明する。
【００３０】
図２において、シート処理装置２は、設定部９と、設定部９が有する節電モード設定部１０と、計数部１１と、スタッカーユニット５が有する電力供給制御部１２と、サドルユニット６が有する電力供給制御部１３と、製本ユニット７が有する電力供給制御部１５と、シート束裁断ユニット８が有する電力供給制御部１６と、記憶部２０と、比較部２１とを有し、画像形成部本体３は、入力部１７と、画像形成部１９を有する構成となっている。
【００３１】
画像形成部本体３の有する入力手段である、例えば液晶のパネルディスプレイ等からなる入力部１７は、画像形成に関連するモード指定の他にシートの束綴じ等の画像形成後のシートの加工処理の設定が入力される。この入力された設定は、シート処理装置２の設定手段である、例えば設定部９へと送信されて設定される。また、この入力部１７では、ユニットの電力を節電する節電モード設定や、節電モードに切り替わるまでの時間の入力がおこなわれ、節電モード設定手段である、例えば節電モード設定部１０へと送信されて設定される。
【００３２】
なお、上述した設定部９及び節電モード設定部１０による加工処理の設定は、前述した入力部１７からの入力に限らず、シート処理装置２が有する不図示のボタンやタッチパネル等の入力装置から直接入力できるようにしてもよい。
【００３３】
つぎに、各ユニットが有する電力供給制御手段である、例えば電力供給制御部１２，１３，１５，１６は、各ユニットへの電力の供給及び遮断の制御をおこなう。これら電力供給制御部１２，１３，１５，１６は、設定部９に設定された加工処理の設定に応じ、該当するユニットへの電力の供給及び遮断の制御をおこなう。
【００３４】
計数手段である、例えば計数部１１は、タイマやカウンタなどによって所定の時間の計数をおこない、計数終了した際には、節電モード設定部１０に設定された節電モードへの切り換えに制御を渡す。
【００３５】
また、記憶手段である、例えば一次的にデータを記憶するメモリ等からなる記憶部２０は、電力の供給及び遮断がおこなわれた際の各ユニットの状態設定が記憶される。なお、この記憶部２０に記憶されたデータは、シート処理装置２の電源が落とされた場合に消去されないものとするが、必要に応じて初期化させることができる。
【００３６】
つぎに、本第１の実施の形態にかかるシート処理装置２の節電モード時の動作を説明する。
【００３７】
まず、節電モード設定部１０に入力部１７から入力された節電モードが設定されているか否かを判断する（ステップＳ１）。節電モードでない場合には、スタッカーユニット５が電力供給制御部１２によって電源オン（すなわち、電力の供給）される（ステップＳ２）。つづいて、サドルユニット６、製本ユニット７のそれぞれが電力供給制御部１３，１５によって電源オンされる（ステップＳ３，Ｓ４）。そして、シート束裁断ユニット８が電力供給制御部１６によって電源オンされ（ステップＳ５）て、処理を終える。
【００３８】
一方、シート処理装置２が、節電モードである場合には、スタッカーユニット５が電力供給制御部１２によって電源オフ（すなわち、電力の遮断）される（ステップＳ６）。つづいて、サドルユニット６、製本ユニット７のそれぞれが電力供給制御部１３，１５によって電源オフされる（ステップＳ７，Ｓ８）。そして、最後にシート束裁断ユニット８が電力供給制御部１６によって電源オフされ（ステップＳ９）て、シート処理装置２は節電モードとなる。
【００３９】
以上説明したように、第１の実施の形態にかかるシート処理装置２によれば、設定部９は、加工処理ごとに分割された全てのユニットへの電力の供給と遮断との制御を一括して設定する節電モード設定部１０を設定し、全てのユニットごとに備える電力供給制御部１２，１３，１５，１６に対して電力の供給と遮断とを制御することができるので、シート処理装置２の未使用時の電力消費を抑えることができる。
【００４０】
なお、本第１の実施の形態においては、図３にて説明したシート処理装置２の節電モードでのユニットの電力を供給する順序は、上述したものに限らず、どのような順序であってもよい。
【００４１】
また、本第１の実施の形態においては、設定部９、節電モード設定部１０、計数部１１はシート処理装置２が有するものとして説明をおこなったが、画像形成部本体３が有するものとしてもよい。また、入力部１７については、画像形成部本体３が有するものとして説明をおこなったが、シート処理装置２が有するものとしてもよい。
【００４２】
＜第２の実施の形態＞
以下、本発明の第２の実施の形態にかかるシート処理装置の動作を図４乃至図８に沿って説明する。図４は第２の実施の形態にかかるシート処理装置の各種モード時の動作に分岐するメインのフローチャート、図５は第２の実施の形態にかかるシート処理装置のスタックモード時の動作を示すフローチャート、図６は第２の実施の形態にかかるシート処理装置のサドルモード時の動作を示すフローチャート、図７は第２の実施の形態にかかるシート処理装置の製本モード時の動作を示すフローチャート、図８は第２の実施の形態にかかるシート処理装置の節電モード時の動作を示すフローチャートである。但し、図１乃至３と共通する構成については同じ符号を付し、図１乃至３の説明を援用する。
【００４３】
図４では画像形成部本体３よりシートが搬送されてきた際にどのモード（加工処理の設定）がおこなわれるかが判断され、この判断の後に図５乃至８に示すそれぞれのモード処理へと分岐する。
【００４４】
まず、シート処理装置２の設定部９にはスタックモード（シートをスタックする）が設定されているか否かが判断される（ステップＳ１１）。スタックモードに設定されている場合には（ステップＳ１１：Ｙｅｓ）、図５に示すように、サドルユニット６が電力供給制御部１３により電源オフされ（ステップＳ１５）、つづいて製本ユニット７、シート束裁断ユニット８がそれぞれの電力供給制御部１５，１６によって電源オフされる（ステップＳ１６、ステップＳ１７）。
【００４５】
その後、スタッカーユニット５によってスタック処理がおこなわれる間、スタックモード処理が終了したか否かが判断され（ステップＳ１８）、終了していない場合はそのままステップＳ１８の判断が継続される。スタックモード処理が終了した場合には、図４のモードの判断へ戻り、ステップＳ１１から引き続き処理がおこなわれる。
【００４６】
一方、ステップＳ１１にてシート処理装置２の設定部９がスタックモードに設定されていない場合には（ステップＳ１１：Ｎｏ）、つぎに、シート処理装置２の設定部９がサドルモードに設定されているか否かが判断される（ステップＳ１２）。
【００４７】
サドルモード（シート束の綴じ処理）に設定されている場合には（ステップＳ１２：Ｙｅｓ）、図６に示すように、サドルユニット６が電力供給制御部１３により電源オンされ（ステップＳ１９）、つづいて製本ユニット７、シート束裁断ユニット８がそれぞれの電力供給制御部１５，１６によって電源オフされる（ステップＳ２０、ステップＳ２１）。
【００４８】
その後、サドルユニット６によってシート束の綴じ処理がおこなわれる間、サドルモード処理が終了したか否かが判断され（ステップＳ２２）、終了していない場合はそのままステップＳ２２の判断が継続される。サドルモード処理が終了した場合には、図４のモードの判断へ戻り、ステップＳ１１から引き続き処理がおこなわれる。
【００４９】
一方、ステップＳ１２にてシート処理装置２の設定部がサドルモードに設定されていない場合には（ステップＳ１２：Ｎｏ）、つぎに、シート処理装置２の設定部９が製本モードに設定されているか否かを判断する（ステップＳ１３）。製本モードに設定されている場合（ステップＳ１３：Ｙｅｓ）、図７に示すように、サドルユニット６が電力供給制御部１３により電源オフされる（ステップＳ２３）。つづいて製本ユニット７、シート束裁断ユニット８がそれぞれの電力供給制御部１５，１６によって電源オンされる（ステップＳ２４、ステップＳ２５）。
【００５０】
その後、製本ユニット７によって製本処理がおこなわれる間、製本モード処理が終了したか否かが判断され（ステップＳ２６）、終了していない場合はそのままステップＳ２６の判断が継続される。製本モード処理が終了した場合には、図４のモードの判断へ戻り、ステップＳ１１から引き続き処理がおこなわれる。
【００５１】
一方、ステップＳ１３にてシート処理装置２の設定部９が製本モードに設定されていない場合には（ステップＳ１３：Ｎｏ）、つぎに、シート処理装置２の設定部９が節電モードに設定されているか否かを判断する（ステップＳ１４）。節電モードに設定されている場合（ステップＳ１４：Ｙｅｓ）には、図８に示すように、スタッカーユニット５が電力供給制御部１２により電源オフされる（ステップＳ２７）。つづいて、サドルユニット６、製本ユニット７、シート束裁断ユニット８がそれぞれの電力供給制御部１３，１５，１６によって順に電源オフされる（ステップＳ２８〜３０）。
【００５２】
その後、節電モード処理が終了したか否かが判断され（ステップＳ３１）、終了していない場合はそのままステップＳ３１の判断が継続される。節電モード処理が終了した場合には、スタッカーユニット５が電力供給制御部１２により電源オンされる（ステップＳ３２）。その後、図４のモードの判断へ戻り、ステップＳ１１から引き続き処理がおこなわれる。
【００５３】
以上説明したように、第２の実施の形態にかかるシート処理装置２によれば、設定部９の設定により、ユニットごとに備える電力供給制御部１２，１３，１５，１６に対して電力の供給と遮断とを制御することができるので、シート処理装置２がその時点でおこなう加工処理に必要なユニットのみに電力を供給することができ、電力が無駄に消費されることを防止することができるようになる。
【００５４】
＜第３の実施の形態＞
以下、本発明の第３の実施の形態にかかるシート処理装置の動作を図９乃至１３に沿って説明する。図９は第３の実施の形態にかかるタイマを用いたシート処理装置の各種モード時の動作に分岐するメインのフローチャート、図１０は第３の実施の形態にかかるシート処理装置のスタックモード時の動作を示すフローチャート、図１１は第３の実施の形態にかかるシート処理装置のサドルモード時の動作を示すフローチャート、図１２は第３の実施の形態にかかるシート処理装置の製本モード時の動作を示すフローチャート、図１３は第３の実施の形態にかかるシート処理装置の節電モード時の動作を示すフローチャート、である。
【００５５】
図９に示すように、シート処理装置２には節電モードに入るまでの時間として１０分が節電モード設定部１０に設定される（ステップＳ４１）。
【００５６】
そして、シート処理装置２の設定部９にはスタックモードが設定されているか否かが判断される（ステップＳ４２）。スタックモードに設定されている場合には（ステップＳ４２：Ｙｅｓ）、図１０のスタックモード時の動作を示すフローチャートのステップＳ４８へと続くが、動作内容は図５と同様であるためその説明は省略する。
【００５７】
一方、ステップＳ４２にてシート処理装置２の設定部９がスタックモードに設定されていない場合には（ステップＳ４２：Ｎｏ）、つぎに、シート処理装置２の設定部９がサドルモードに設定されているか否かが判断される（ステップＳ４３）。
【００５８】
シート処理装置２の設定部９がサドルモードに設定されている場合には（ステップＳ４３：Ｙｅｓ）、図１１のサドルモード時の動作を示すフローチャートのステップＳ５２へと続くが、動作内容は図６と同様であるためその説明は省略する。
【００５９】
一方、ステップＳ４３にてシート処理装置２の設定部９がサドルモードに設定されていない場合には（ステップＳ４３：Ｎｏ）、つぎに、シート処理装置２の設定部９が製本モードに設定されているか否かが判断される（ステップＳ４４）。
【００６０】
シート処理装置２の設定部９が製本モードに設定されている場合には（ステップＳ４４：Ｙｅｓ）、図１２に示すように、サドルユニット６が電力供給制御部１３により電源オフされ（ステップＳ５６）、つづいて製本ユニット７、シート束裁断ユニット８がそれぞれの電力供給制御部によって電源オンされる（ステップＳ５７、ステップＳ５８）。
【００６１】
そして、製本ユニット７によって製本処理がおこなわれる間、製本モード処理が終了したか否かが判断され（ステップＳ５９）、終了していない場合（ステップＳ５９：Ｎｏ）はシート束裁断ユニット８は電力供給制御部１６により電源オフされる（ステップＳ６０）。ここで、シート束裁断ユニット８が電源オフされるのは、シートが製本処理されている間にシート束裁断ユニット８に供給される電力を節電するためである。なお、ここでシート束裁断ユニット８が既に電源オフされている場合にはループ処理によって重ねて電源オフされないような条件式を増やしてもよい。
【００６２】
さらに、ステップＳ５９の判断が継続され、製本モード処理が終了した場合（ステップＳ５９：Ｙｅｓ）には、シート束裁断ユニット８がその電力供給制御部１６により電源オンされる（ステップＳ６１）。
【００６３】
そして、製本ユニット７がその電力供給制御部１５により電源オフされ（ステップＳ６２）、シート束裁断モード処理が終了したか否かが判断される（ステップＳ６３）。終了していない場合（ステップＳ６３：Ｎｏ）は、そのまま判断が継続される。
【００６４】
一方、シート束裁断モード処理が終了した場合（ステップＳ６３：Ｙｅｓ）には、シート束裁断ユニット８は電力供給制御部１６によって電源オフされ（ステップＳ６４）、図９のステップＳ４１の処理に戻る。
【００６５】
一方、ステップＳ４４にてシート処理装置２の設定部９が製本モードに設定されていない場合には（ステップＳ４４：Ｎｏ）、つぎに、シート処理装置２の設定部９が節電モードに設定されているか否かが判断される（ステップＳ４５）。節電モードに設定されている場合には（ステップＳ４５：Ｙｅｓ）、図１３の節電モード時の動作を示すフローチャートのステップＳ６５へと続くが、動作内容は図８と同様の処理であるためその説明は省略する。そして、図１３の処理をおこなうことによってシート処理装置２の全てのユニットが電源オフされ、節電モードとなる。
【００６６】
一方、ステップＳ４５にてシート処理装置２の設定部９が節電モードに設定されていない場合には（ステップＳ４５：Ｎｏ）、ステップＳ４１にて設定した時間が計数部１１によって計数され、タイムアップしたか否かが判断される（ステップＳ４６）。
【００６７】
ステップＳ４１にて設定した時間がタイムアップした場合には（ステップＳ４６：Ｙｅｓ）、ステップＳ４１にて設定した節電モードに入るまでの時間である１０分を消去（タイマークリア）する（ステップＳ４７）。図１３の節電モード時の動作を示すフローチャートのステップＳ６５へと続くが、動作内容は図８と同様の処理であるためその説明は省略する。そして、図１３の処理をおこなうことによってシート処理装置２の全てのユニットが電源オフされ、節電モードとなる。
【００６８】
一方、節電モードに入るまでの時間がタイムアップしていない場合には（ステップＳ４６：Ｎｏ）、ステップＳ４２へ戻り、シート処理装置２の設定部９にどのモードが設定されたかの判断を繰り返しおこなう。
【００６９】
以上説明したように、第３の実施の形態にかかるシート処理装置２によれば、複数のユニットを用いる加工処理をおこなう際に、処理が終了したユニットに対して電力供給制御部１２，１３，１５，１６を用いて電力の遮断をおこなうことができるようになるので、シート処理装置２がその時点でおこなう加工処理に必要なユニットのみに電力を供給することができ、電力が無駄に消費されることを防止することができるようになる。
【００７０】
また、第３の実施の形態にかかるシート処理装置２によれば、設定された所定の時間が計数部１１によって計数された際に、各ユニットが備える電力供給制御部１２，１３，１５，１６によって電力の遮断（節電モード）をおこなわせることができるので、シート処理装置２が使用されていない場合に電力が供給されることを防ぎ、シート処理装置２の節電をおこなうことができるようになる。
【００７１】
なお、本第３の実施の形態においては、シート処理装置２が節電モードに入るまでの設定時間を１０分として説明をおこなったが、特に時間は限定されるものではない。
【００７２】
＜第４の実施の形態＞
以下、本発明の第４の実施の形態にかかるシート処理装置の動作を図１４を用いて説明する。図１４は、第４の実施の形態にかかる節電モード設定時にユニットの初期化をおこなうシート処理装置の動作例を示すフローチャートである。
【００７３】
シート処理装置２の有する各ユニットは電源オンされる際に初期化をおこなう機能を有し、図１４では、その節電モードの動作の際に各ユニットにて初期化される流れが示される。なお、この節電モード時以外のモードにおけるシート処理装置２のメインの分岐処理は図９と同様であり、その分岐先の処理は、スタックモードが図１０、サドルモードが図１１、製本モードが図１２のそれぞれの場合と同様である。
【００７４】
まず、シート処理装置２において節電モードが設定された際には、まず、スタッカーユニット５が電力供給制御部１２によって電源オフされる（ステップＳ９１）。つづいて、サドルユニット６、製本ユニット７、シート束裁断ユニット８がそれぞれの電力供給制御部１３，１５，１６によって電源オフされ（ステップＳ９２，Ｓ９３，Ｓ９４）て、シート処理装置２は節電モードに入る。
【００７５】
その後、画像形成部本体３が有する入力部１７からの入力等によって節電モードの設定が解除されたか否かを判断し（ステップＳ９５）、節電モードの設定が解除されない（ステップＳ９５：Ｎｏ）間は、ステップＳ９５に戻ってこの判断を継続する。一方、節電モードの設定が解除された場合には（ステップＳ９５：Ｙｅｓ）、スタッカーユニット５が電力供給制御部１２によって電源オンされる（ステップＳ９６）。
【００７６】
スタッカーユニット５が電源オンされると、この電源オンされた時点の状態設定と、記憶部２０に記憶された１度前に電源オフされた際のスタッカーユニット５の状態設定と、を比較することにより、スタッカーユニット５の初期化をおこなうか否かを判断する（ステップＳ９７）。初期化をおこなう場合（ステップＳ９７：Ｙｅｓ）には、スタッカーユニット５の初期化を開始し（ステップＳ９８）、つぎに初期化が終了したか否かの判断をおこなう（ステップＳ９９）。初期化が終了しない（ステップＳ９９：Ｎｏ）間は、ステップＳ９９に戻って初期化が終了したか否かの判断を継続する。
【００７７】
一方、スタッカーユニット５の初期化が終了した場合（ステップＳ９９：Ｙｅｓ）、或いは、前述のスタッカーユニット５の初期化をおこなわない場合（ステップＳ９７：Ｎｏ）には、サドルユニット６が電力供給制御部１３によって電源オンされる（ステップＳ１００）。
【００７８】
サドルユニット６が電源オンされると、この電源オンされた時点の状態設定と、記憶部２０に記憶された１度前に電源オフされた際のサドルユニット６の状態設定と、を比較することにより、サドルユニット６の初期化をおこなうか否かを判断する（ステップＳ１０１）。初期化をおこなう場合（ステップＳ１０１：Ｙｅｓ）には、サドルユニット６の初期化を開始し（ステップＳ１０２）、初期化が終了したか否かの判断をおこなう（ステップＳ１０３）。初期化が終了しない（ステップＳ１０３：Ｎｏ）間は、ステップＳ１０３に戻ってイニシャル動作が終了したか否かの判断を継続する。
【００７９】
サドルユニット６の初期化が終了した場合（ステップＳ１０３：Ｙｅｓ）、或いは、前述のサドルユニット６の初期化をおこなわない場合（ステップＳ１０１：Ｎｏ）には、製本ユニット７が電力供給制御部１５によって電源オンされる（ステップＳ１０４）。
【００８０】
製本ユニット７が電源オンされると、この電源オンされた時点の状態設定と、記憶部２０に記憶された電源オフされた際の製本ユニット７の状態設定と、を比較することにより、製本ユニット７の初期化をおこなうか否かを判断する（ステップＳ１０５）。初期化をおこなう場合（ステップＳ１０５：Ｙｅｓ）には、製本ユニット７の初期化を開始し（ステップＳ１０６）、初期化が終了したか否かの判断をおこなう（ステップＳ１０７）。初期化が終了しない（ステップＳ１０７：Ｎｏ）間は、ステップＳ１０７に戻って初期化が終了したか否かの判断を継続する。
【００８１】
製本ユニット７の初期化が終了した場合（ステップＳ１０７：Ｙｅｓ）、或いは、前述の製本ユニット７の初期化をおこなわない場合（ステップＳ１０５：Ｎｏ）には、シート束裁断ユニット８が電力供給制御部１６によって電源オンされる（ステップＳ１０８）。
【００８２】
シート束裁断ユニット８が電源オンされると、この電源オンされた時点の状態設定と、記憶部２０に記憶された電源オフされた際のシート束裁断ユニット８の状態設定と、を比較することにより、シート束裁断ユニット８の初期化をおこなうか否かを判断する（ステップＳ１０９）。初期化をおこなう場合（ステップＳ１０９：Ｙｅｓ）には、シート束裁断ユニット８の初期化を開始し（ステップＳ１１０）、初期化が終了したか否かの判断をおこなう（ステップＳ１１１）。初期化が終了しない（ステップＳ１１１：Ｎｏ）間は、ステップＳ１１１に戻って初期化が終了したか否かの判断を継続する。
【００８３】
そして、シート束裁断ユニット８の初期化が終了した場合（ステップＳ１１１：Ｙｅｓ）、或いは、前述のシート束裁断ユニット８の初期化をおこなわない場合（ステップＳ１０９：Ｎｏ）には、図９に示したシート処理装置２のメインの条件分岐処理へと戻る。これにより、図９と同様、設定された各種のモード処理がおこなわれる。
【００８４】
以上説明したように、第４の実施の形態にかかるシート処理装置２によれば、電力供給制御部１２，１３，１５，１６による電力の供給の制御を、各ユニットごとの設定状態として記憶部２０に記憶させることにより、各ユニットへ電力の供給がおこなわれる際に、該当するユニットの設定状態が記憶部２０に既に記憶されているものに対しては初期化されないようにすることができるので、ユニットに電力が供給された際の起動時間を短縮し、不要な電力の消費を防ぐことができるようになる。
【００８５】
また、第４の実施の形態にかかるシート処理装置２によれば、各ユニットへ電力が供給される際に設定された設定状態と、記憶部２０に記憶されている該当するユニットの設定状態とを比較部２１にて比較し、比較一致したユニットに対しては初期化がされないようにすることができるので、ユニットに電力が供給された際の起動時間を短縮し、不要な電力の消費を防ぐことができるようになる。
【００８６】
また、以上で説明した、第１乃至第４の実施の形態にかかるシート処理装置２によれば、加工処理ごとに分割されたユニットにそれぞれ設けられる電力供給制御部１２，１３，１５，１６は、設定部９によって設定された加工処理に応じ、各ユニットに対する電力の供給と遮断とを制御するので、加工処理をおこなう多様なユニットのなかから必要なユニットにのみ電力を供給して不要な電力消費を防止し、シート処理装置２単体で効率的に節電をおこなうことができるようになる。
【００８７】
また、第１乃至第４の実施の形態にかかるシート処理装置２によれば、電力供給制御部１２，１３，１５，１６は、シート処理装置２の有する各ユニットにそれぞれ設けられるとして説明をおこなったが、ひとつの制御部によって複数のユニット全てを制御させるようにしてもよい。また、このひとつの制御部、もしくは、電力供給制御部１２，１３，１５，１６は、シート処理装置２が有せずに画像形成部本体３が有する構成としてもよい。
【図面の簡単な説明】
【００８８】
【図１】第１の実施の形態にかかるシート処理装置と画像形成装置とからなる構成図。
【図２】第１の実施の形態にかかるシート処理装置と画像形成部本体との機能を示すブロック図。
【図３】第１の実施の形態にかかるシート処理装置の節電モード時の動作を示すフローチャート。
【図４】第２の実施の形態にかかるシート処理装置の各種モード時の動作に分岐するメインのフローチャート。
【図５】第２の実施の形態にかかるシート処理装置のスタックモード時の動作を示すフローチャート。
【図６】第２の実施の形態にかかるシート処理装置のサドルモード時の動作を示すフローチャート。
【図７】第２の実施の形態にかかるシート処理装置の製本モード時の動作を示すフローチャート。
【図８】第２の実施の形態にかかるシート処理装置の節電モード時の動作を示すフローチャート。
【図９】第３の実施の形態にかかるタイマを用いたシート処理装置の各種モード時の動作に分岐するメインのフローチャート。
【図１０】第３の実施の形態にかかるシート処理装置のスタックモード時の動作を示すフローチャート。
【図１１】第３の実施の形態にかかるシート処理装置のサドルモード時の動作を示すフローチャート。
【図１２】第３の実施の形態にかかるシート処理装置の製本モード時の動作を示すフローチャート。
【図１３】第３の実施の形態にかかるシート処理装置の節電モード時の動作を示すフローチャート。
【図１４】第４の実施の形態にかかるシート処理装置の節電モード設定からの復帰動作の一例を説明するフローチャート。
【符号の説明】
【００８９】
１  画像形成装置
２  シート処理装置
３  画像形成部本体
５  スタッカーユニット（ユニット）
６  サドルユニット（ユニット）
７  製本ユニット（ユニット）
８  シート束裁断ユニット（ユニット）
９  設定部（設定手段）
１０  節電モード設定部（節電モード設定手段）
１１  計数部（計数手段）
１２，１３，１５，１６  電力供給制御部（電力供給制御手段）
１７  入力部（入力手段）
１９  画像形成部
２０  記憶部（記憶手段）
２１  比較部（比較手段）
【図１】
2006076218.tif 000003
【図２】
2006076218.tif 000004
【図３】
2006076218.tif 000005
【図４】
2006076218.tif 000006
【図５】
2006076218.tif 000007
【図６】
2006076218.tif 000008
【図７】
2006076218.tif 000009
【図８】
2006076218.tif 000010
【図９】
2006076218.tif 000011
【図１０】
2006076218.tif 000012
【図１１】
2006076218.tif 000013
【図１２】
2006076218.tif 000014
【図１３】
2006076218.tif 000015
【図１４】
2006076218.tif 000016